(57)【要約】【課題】  組立作業が容易で半田付けが剥離されず薄形小型化を可能にすること。【解決手段】  電池用端子３が線材を渦巻き状に形成した端子本体３Ａと該端子本体３Ａから線材を延ばして形成した端子脚３Ｂとからなり、該端子脚３Ｂが、端子本体３Ａから絶縁基板１ａに対して垂直方向Ｚ−Ｚに沿って延びる立上り部３ａと、該立上り部３ａから絶縁基板１ａの表面に沿って水平横方向Ｙ−Ｙに延びる中央部３ｂと、該中央部３ｂから絶縁基板１ａの表面に沿って水平縦方向Ｘ−Ｘに延びる末端部３ｃとからなり、該末端部３ｃにＵ字枠４と直線状端部５とが一体形成され、そのＵ字枠４と直線状端部５とが自然状態で略ハ字状に傾斜されており、直線状端部５を絶縁基板１ａの貫通孔７に嵌入させると共に、Ｕ字枠４を絶縁基板１ａの長孔６に嵌入させ、その直線状端部５及びまたはＵ字枠４を絶縁基板１ａの裏面のランド８に半田付け９する。【選択図】        図１
2008066010.tif 000002
【特許請求の範囲】
【請求項１】
リモコン本体内の絶縁基板に配置した電池用端子であって、線材を渦巻き状に形成した
端子本体と該端子本体から線材を延ばして形成した端子脚とからなり、該端子脚の中央適
所を略Ｕ字状に折り曲げてＵ字枠が形成されると共に、その端子脚の端部から直角に折り
曲げて直線状端部が形成されており、前記Ｕ字枠を絶縁基板の長孔に嵌入させると共に、
前記直線状端部を絶縁基板の貫通孔に嵌入させ、その直線状端部及びまたはＵ字枠を絶縁
基板の裏面のランドに半田付けするようにしたリモートコントローラにおいて、前記端子
脚が、端子本体から絶縁基板に対して垂直方向に沿って延びる立上り部と、該立上り部か
ら絶縁基板の表面に沿って水平横方向に延びる中央部と、該中央部から絶縁基板の表面に
沿って水平縦方向に延びる末端部とからなり、該末端部に前記Ｕ字枠と直線状端部とが一
体形成され、そのＵ字枠を末端部の軸心回りで前記中央部側に折り曲げると共に、前記直
線状端部を末端部の軸心回りでＵ字枠とは逆方向に折り曲げることにより、そのＵ字枠と
直線状端部とが自然状態で３０°〜９０°（好ましくは５５°〜６５°）の対向角度を間
に挟んで略ハ字状に傾斜されていることを特徴とするリモートコントローラ。
【請求項２】
リモコン本体内の絶縁基板に配置した電池用端子であって、線材を渦巻き状に形成した
端子本体と該端子本体から線材を延ばして形成した端子脚とからなり、該端子脚の中央適
所を略Ｕ字状に折り曲げてＵ字枠が形成されると共に、その端子脚の端部から直角に折り
曲げて直線状端部が形成されており、前記Ｕ字枠を絶縁基板の長孔に嵌入させると共に、
前記直線状端部を絶縁基板の貫通孔に嵌入させ、その直線状端部及びまたはＵ字枠を絶縁
基板の裏面のランドに半田付けするようにしたリモートコントローラにおいて、前記Ｕ字
枠と直線状端部とが端子脚を中心に互いに逆方向に折り曲げられて所定の対向角度を間に
挟んで略ハ字状に傾斜されていることを特徴とするリモートコントローラ。
【請求項３】
前記端子脚が、端子本体から絶縁基板に対して垂直方向に沿って延びる立上り部と、該
立上り部から絶縁基板の表面に沿って水平横方向に延びる中央部と、該中央部から絶縁基
板の表面に沿って水平縦方向に延びる末端部とからなり、該末端部に前記Ｕ字枠と直線状
端部とが一体形成され、そのＵ字枠を末端部の軸心回りで前記中央部側に折り曲げると共
に、前記直線状端部を末端部の軸心回りでＵ字枠とは逆方向に折り曲げることにより、そ
のＵ字枠と直線状端部とが所定の対向角度を間に挟んで略ハ字状に傾斜されていることを
特徴とする請求項２に記載のリモートコントローラ。
【請求項４】
前記Ｕ字枠と直線状端部との自然状態での対向角度が３０°〜９０°（好ましくは５５
°〜６５°）に設定されていることを特徴とする請求項２または３に記載のリモートコン
トローラ。
【発明の詳細な説明】
【技術分野】
【０００１】
本発明は、例えばＤＶＤレコーダやＤＶＤプレーヤなどの電気機器を遠隔操作するため
のリモートコントローラに関し、特に、組立作業が容易で半田付けが剥離されず薄形小型
化を可能にしたものである。
【背景技術】
【０００２】
図５は例えばＤＶＤレコーダやＤＶＤプレーヤのリモートコントローラの一例を示す斜
視図であって、リモコン本体１内の絶縁基板１ａ上に電池ボックス１ｂが形成され、該電
池ボックス１ｂの一端側に共通端子２が配置されると共に、その電池ボックス１ｂの他端
側にプラス側とマイナス側の一対の端子３が配置され、その両端子２、３間に電池Ｇを配
置したものであって、リモコン本体１の上面に設けた操作部（図示せず）を操作すること
により、発光ダイオードＬＥＤから信号を発信する。
【０００３】
前記端子３の一例を示すと、図６（ａ）の底面図、同図（ｂ）のＥ−Ｅ矢視図、同図（
ｃ）のＦ−Ｆ矢視図に示すように、その端子３は、線材を渦巻き状に形成した端子本体３
Ａと、該端子本体３Ａから線材を延ばして形成した端子脚３Ｂとからなり、該端子脚３Ｂ
が、端子本体３Ａから絶縁基板１ａに対して垂直方向Ｚ−Ｚに沿って延びる立上り部３ａ
と、該立上り部３ａから絶縁基板１ａの表面に沿って水平横方向Ｙ−Ｙに延びる中央部３
ｂと、該中央部３ｂから絶縁基板１ａの表面に沿って水平縦方向Ｘ−Ｘに延びる末端部３
ｃとからなり、該末端部３ｃの中央適所を略Ｕ字状に折り曲げてＵ字枠４が形成されると
共に、その末端部３ｃの端部から直角に折り曲げて直線状端部５が形成され、前記Ｕ字枠
４に対向して絶縁基板２に長孔６が形成されると共に、前記直線状端部５に対向して絶縁
基板２に円形状貫通孔７が形成されている。なお、８は絶縁基板１ａの裏面にプリント印
刷したランド、９は半田付けである。
【０００４】
半田付け９の手順を説明すると、組立工程で、端子脚３Ｂを把持してＵ字枠４を絶縁基
板１ａの長孔６に嵌入させると共に、直線状端部５を貫通孔７に嵌入させ、続いて、半田
工程で、絶縁基板１ａを引っ繰り返し〔図６（ｂ）参照〕、上方からＵ字枠４及びまたは
直線状端部５をランド８に半田付け９する。
【０００５】
上記構成によれば、半田工程で、絶縁基板１ａを引っ繰り返して半田付け９する際に、
Ｕ字枠４及び直線状端部５が各孔６，７から抜けて端子３が落下するおそれがあり、その
落下を阻止するために、粘着テープＰで端子脚３Ｂを絶縁基板１ａに仮止めすることが行
われているが、これでは、粘着テープＰを用いている分だけコストアップになるという難
点がある。
【０００６】
上記難点を解消する技術の一例として特許文献１に記載したものがある。これは、図７
（ａ）に示すように、Ｕ字枠４の自然状態での幅ｈが長孔６の長さｔよりも少し長く設定
されたものであって（ｈ＞ｔ）、組立工程で、Ｕ字枠４を長孔６に強制的に押し込んで、
該Ｕ字枠４を長孔６の半円状側縁６Ａに弾接させるものであって、これによれば、図７（
ｂ）の拡大図（Ｇ−Ｇ線矢視図）に示すように、Ｕ字枠４を弾性変位させることにより発
生する押付力ｆ１で、そのＵ字枠４が長孔６の半円状側縁６Ａに弾接されているので、半
田工程で絶縁基板１ａを引っ繰り返したときに端子３を落下させることがなく、前記粘着
テープＰを省略することができる。
【０００７】
また、上記難点を解消する技術の他の例として特許文献２に記載したものがある。これ
は、図９に示すように、Ｕ字枠４の先端部を略Ｖ字状に折曲してＶ字状先端部４ａが形成
され、そのＶ字状先端部４ａの外径ｍが長孔６の長さｔよりも大きく設定されており、Ｕ
字枠４を長孔６に嵌入させることにより、Ｖ字状先端部４ａを絶縁基板１ａの裏面に係合
させるものであって、これによれば、Ｖ字状先端部４ａを絶縁基板１ａの裏面に係合させ
ることより、端子脚３Ｂを絶縁基板１ａの表面に浮き上がらないように密着させることが
できる。
【特許文献１】実用新案登録第３０７０４９９号公報
【特許文献２】実開平６−２３１６０号公報
【発明の開示】
【発明が解決しようとする課題】
【０００８】
図７（ａ）に示す特許文献１に記載の構成では、組立工程でＵ字枠４を長孔６に強制的
に押し込むと共に、直線状端部５を小径の貫通孔７に注意して嵌入させる必要があり、そ
の作業に手間と時間とがかかって面倒である。
【０００９】
また、Ｕ字枠４をその弾性に抗して長孔６に強制的に押し込むことから、その押込力に
抗して押上力ｆ２が発生しており〔図８（ａ）参照〕、その押上力ｆ２で端子脚３Ｂが浮
き上がって、その端子脚３Ｂと絶縁基板２との間に隙間αが生じることがあり〔図８（ａ
）参照〕、その浮き上がり状態で半田付け９を施した場合には、図８（ｂ）に示すように
、浮き上がった端子脚３Ｂに工具などが当たって押下力ｆ３が発生すると、その押下力ｆ
３で端子脚３Ｂが押し下げられることにより、半田付け９がランド８から剥離され、その
半田付け９とランド８との間に隙間βが生じて断線するおそれがある。
【００１０】
更に、図７（ｂ）に示すように、押付力ｆ１が長孔６の長手方向（Ｘ−Ｘ）方向に沿っ
て作用し、その長手方向（Ｘ−Ｘ）とは直交する方向（Ｙ−Ｙ）に沿って端子脚３Ｂを規
制するものがないため、例えば電池Ｇの交換時の衝撃で端子脚３Ｂが矢印Ｙａ，Ｙｂ方向
に不測に動揺して、半田付け９がランド８から剥離されるおそれがある。
【００１１】
図９に示す特許文献２に記載の構成では、Ｖ字状先端部４ａが絶縁基板１ａの裏面側に
比較的大きな突出幅ｓで突出しているため、それが嵩張って、薄形小型のリモートコント
ローラを要望するユーザの期待に応えることができない。
【００１２】
また、引用文献１と同様に、Ｕ字枠４を長孔６の長手方向（Ｘ−Ｘ）とは直交する方向
（Ｙ−Ｙ）に沿って規制するものがないので、例えば電池Ｇの交換時の衝撃で端子脚３Ｂ
が不測に動揺して、半田付け９がランド８から剥離されるおそれがある。
【００１３】
本発明は、上記従来の欠点に鑑み、組立作業が容易で半田付けが剥離されず薄形小型化
を可能にしたリモートコントローラを提供することを目的としている。
【課題を解決するための手段】
【００１４】
上記目的を達成するため、請求項１に記載の発明は、リモコン本体内の絶縁基板に配置
した電池用端子であって、線材を渦巻き状に形成した端子本体と該端子本体から線材を延
ばして形成した端子脚とからなり、該端子脚の中央適所を略Ｕ字状に折り曲げてＵ字枠が
形成されると共に、その端子脚の端部から直角に折り曲げて直線状端部が形成されており
、前記Ｕ字枠を絶縁基板の長孔に嵌入させると共に、前記直線状端部を絶縁基板の貫通孔
に嵌入させ、その直線状端部及びまたはＵ字枠を絶縁基板の裏面のランドに半田付けする
ようにしたリモートコントローラにおいて、前記端子脚が、端子本体から絶縁基板に対し
て垂直方向に沿って延びる立上り部と、該立上り部から絶縁基板の表面に沿って水平横方
向に延びる中央部と、該中央部から絶縁基板の表面に沿って水平縦方向に延びる末端部と
からなり、該末端部に前記Ｕ字枠と直線状端部とが一体形成され、そのＵ字枠を末端部の
軸心回りで前記中央部側に折り曲げると共に、前記直線状端部を末端部の軸心回りでＵ字
枠とは逆方向に折り曲げることにより、そのＵ字枠と直線状端部とが自然状態で３０°〜
９０°（好ましくは５５°〜６５°）の対向角度を間に挟んで略ハ字状に傾斜されている
ことを特徴としている。
【００１５】
請求項２に記載の発明は、リモコン本体内の絶縁基板に配置した電池用端子であって、
線材を渦巻き状に形成した端子本体と該端子本体から線材を延ばして形成した端子脚とか
らなり、該端子脚の中央適所を略Ｕ字状に折り曲げてＵ字枠が形成されると共に、その端
子脚の端部から直角に折り曲げて直線状端部が形成されており、前記Ｕ字枠を絶縁基板の
長孔に嵌入させると共に、前記直線状端部を絶縁基板の貫通孔に嵌入させ、その直線状端
部及びまたはＵ字枠を絶縁基板の裏面のランドに半田付けするようにしたリモートコント
ローラにおいて、前記Ｕ字枠と直線状端部とが端子脚を中心に互いに逆方向に折り曲げら
れて所定の対向角度を間に挟んで略ハ字状に傾斜されていることを特徴としている。
【００１６】
請求項３に記載の発明は、請求項２に記載の発明において、前記端子脚が、端子本体か
ら絶縁基板に対して垂直方向に沿って延びる立上り部と、該立上り部から絶縁基板の表面
に沿って水平横方向に延びる中央部と、該中央部から絶縁基板の表面に沿って水平縦方向
に延びる末端部とからなり、該末端部に前記Ｕ字枠と直線状端部とが一体形成され、その
Ｕ字枠を末端部の軸心回りで前記中央部側に折り曲げると共に、前記直線状端部を末端部
の軸心回りでＵ字枠とは逆方向に折り曲げることにより、そのＵ字枠と直線状端部とが所
定の対向角度を間に挟んで略ハ字状に傾斜されていることを特徴としている。
【００１７】
請求項４に記載の発明は、請求項２または３に記載の発明において、前記Ｕ字枠と直線
状端部との自然状態での対向角度が３０°〜９０°（好ましくは５５°〜６５°）に設定
されていることを特徴としている。
【発明の効果】
【００１８】
請求項１に記載の発明は実施の一形態（図１〜図４参照）に対応するものであって、こ
れによれば、組立工程で、端子脚の直線状端部を絶縁基板の貫通孔に嵌入させ、該端子脚
を若干捩じってＵ字枠を絶縁基板の長孔に嵌入させるだけで、電池用端子を絶縁基板上の
所定位置に迅速容易に取り付けることができる。
【００１９】
また、長孔内のＵ字枠及び貫通孔内の直線状端部をそれぞれ弾性変位させて該各孔の裏
面側の開口縁に押し付けているので、半田工程で絶縁基板を引っ繰り返したときに電池用
端子を落下させることがなく、その電池用端子の落下を防止するために従来必要とされて
いた粘着テープを省略することができ、大幅なコストダウンを図ることができる。
【００２０】
更に、弾性変位したＵ字枠及び直線状端部の元に戻ろうとする付勢力に抗して発生する
押下力で端子脚を絶縁基板の表面に押し付けるので、その端子脚が浮き上がった状態で半
田付けされることがなく、しかも、前記付勢力が長孔の長手方向とは直交する方向に沿っ
て作用して、端子脚が末端部の軸心回りで動揺されることもないから、従来のように端子
脚の浮き上がりや動揺に起因する半田付けの剥離現象を解消して断線事故を確実に防ぐこ
とができる。
【００２１】
しかも、Ｕ字枠及び直線状端部の絶縁基板の裏面側に突出する突出幅が小さいので、嵩
張らず、コンパクトな設計が可能であって、ユーザの要望に応じて薄形小型のリモートコ
ントローラを製作することができる。
【００２２】
また更に、端子脚の中央部とＵ字枠とで絶縁基板を上下から３点で挟持し、これに加え
て直線状端部を絶縁基板に押しつけて、端子脚を４点支持しているので、その端子脚を絶
縁基板上の所定位置に不測に動かないように確実に固定することができる。
【００２３】
ここで、Ｕ字枠と直線状端部との自然状態での対向角度が３０°未満の場合には、その
Ｕ字枠及び直線状端部を各孔に嵌入させて弾性変位させたときの押下力が小さくて端子脚
が浮き上がったり動揺するおそれがあり、前記対向角度が９０°を超える場合には、Ｕ字
枠及び直線状端部を弾性変位させて各孔に嵌入させ難くなる。そこで、前記対向角度が３
０°〜９０°（好ましくは５５°〜６５°）に設定されており、これによって、Ｕ字枠及
び直線状端部を各孔内に容易に嵌入させることができると共に、そのＵ字枠及び直線状端
部の弾性変位により所望通りの大きな押下力を発生させて端子脚が不測に浮き上がったり
動揺しないように絶縁基板上に確実に固定することができる。
【００２４】
請求項２に記載の発明は基本形態に対応するものであって、これによれば、組立工程で
、端子脚の直線状端部を絶縁基板の貫通孔に嵌入させ、該端子脚を若干捩じってＵ字枠を
絶縁基板の長孔に嵌入させるだけで、電池用端子を絶縁基板上の所定位置に迅速容易に取
り付けることができる。
【００２５】
また、長孔内のＵ字枠及び貫通孔内の直線状端部をそれぞれ弾性変位させて該各孔の裏
面側の開口縁に押し付けているので、半田工程で絶縁基板を引っ繰り返したときに電池用
端子を落下させることがなく、その電池用端子の落下を防止するために従来必要とされて
いた粘着テープを省略することができ、大幅なコストダウンを図ることができる。
【００２６】
更に、弾性変位したＵ字枠及び直線状端部の元に戻ろうとする付勢力に抗して発生する
押下力で端子脚を絶縁基板の表面に押し付けるので、その端子脚が浮き上がった状態で半
田付けされることがなく、しかも、前記付勢力が長孔の長手方向とは直交する方向に沿っ
て作用して、端子脚が動揺されることもないから、従来のように端子脚の浮き上がりや動
揺に起因する半田付けの剥離現象を解消して断線事故を確実に防ぐことができる。
【００２７】
しかも、Ｕ字枠及び直線状端部の絶縁基板の裏面側に突出する突出幅が小さいので、嵩
張らず、コンパクトな設計が可能であって、ユーザの要望に応じて薄形小型のリモートコ
ントローラを製作することができる。
【００２８】
請求項３に記載の発明によれば、端子脚の中央部とＵ字枠とで絶縁基板を上下から３点
で挟持し、これに加えて直線状端部を絶縁基板に押しつけて、端子脚を４点支持している
ので、その端子脚を絶縁基板上の所定位置に不測に動かないように確実に固定することが
できる。
【００２９】
請求項４に記載の発明において、Ｕ字枠と直線状端部との自然状態での対向角度が３０
°未満の場合には、そのＵ字枠及び直線状端部を各孔に嵌入させて弾性変位させたときの
押下力が小さくて端子脚が浮き上がったり動揺するおそれがあり、前記対向角度が９０°
を超える場合には、Ｕ字枠及び直線状端部を弾性変位させて各孔に嵌入させ難くなる。そ
こで、前記対向角度が３０°〜９０°（好ましくは５５°〜６５°）に設定されており、
これによって、Ｕ字枠及び直線状端部を各孔内に容易に嵌入させることができると共に、
そのＵ字枠及び直線状端部の弾性変位により所望通りの大きな押下力を発生させて端子脚
が不測に浮き上がったり動揺しないように絶縁基板上に確実に固定することができる。
【発明を実施するための最良の形態】
【００３０】
図１（ａ）は本発明の実施の一形態であるリモートコントローラの要部を示す平面図、
同図（ｂ）はＡ−Ａ矢視図、同図（ｃ）はＢ−Ｂ矢視図、図２は同要部の分解斜視図、図
３（ａ）は同要部の拡大平面図、同図（ｂ）はＣ−Ｃ矢視図、同図（ｃ）はＤ−Ｄ矢視図
、図４（ａ）及び（ｂ）は組立手順を示す斜視図である。
【００３１】
図１及び図２に示すように、電池用端子３の端子脚３Ｂが、端子本体３Ａから絶縁基板
１ａに対して垂直方向Ｚ−Ｚに沿って延びる立上り部３ａと、該立上り部３ａから絶縁基
板１ａの表面に沿って水平横方向Ｙ−Ｙに延びる中央部３ｂと、該中央部３ｂから絶縁基
板１ａの表面に沿って水平縦方向Ｘ−Ｘに延びる末端部３ｃとからなり、該末端部３ｃの
中央適所を略Ｕ字状に折り曲げてＵ字枠４が一体形成されると共に、その末端部３ｃの端
部を直角に折り曲げて直線状端部５が一体形成され、前記Ｕ字枠４を末端部３ｃの軸心Ｏ
回りで中央部３ｂ側に所定の傾斜角度ａだけ折り曲げると共に、前記直線状端部５を末端
部３ｃの軸心Ｏ回りでＵ字枠４とは逆方向に所定の傾斜角度ｂだけ折り曲げることにより
、そのＵ字枠４と直線状端部５とが自然状態で所定の対向角度θ（＝ａ＋ｂ）を間に挟ん
で略ハ字状に傾斜されている（図２の拡大図参照）。上記以外の構成は図５及び図６に示
す構成とほぼ同じであるから、同一部分に同一符号を付してその説明を省略する。
【００３２】
半田付け９の手順を説明すると、組立工程で、図４（ａ）に示すように、端子脚３Ｂを
把持して直線状端部５を絶縁基板１ａの貫通孔７に嵌入させ、同図（ｂ）に示すように、
該端子脚３Ｂを若干捩じってＵ字枠４を絶縁基板１ａの長孔６に嵌入させる。続いて、半
田工程で、絶縁基板１ａを引っ繰り返し〔図１（ｂ）参照〕、上方からＵ字枠４及びまた
は直線状端部５をランド８に半田付け９する。
【００３３】
上記構成によれば、図４（ａ）（ｂ）に示すように、組立工程で、端子脚３Ｂの直線状
端部５を絶縁基板１ａの貫通孔７に嵌入させた後、該端子脚３Ｂを若干捩じってＵ字枠４
を絶縁基板１ａの長孔６に嵌入させるだけで、電池用端子３を絶縁基板１ａ上の所定位置
に迅速容易に取り付けることができる。
【００３４】
また、図３（ａ）〜（ｃ）に示すように、長孔６内のＵ字枠４及び貫通孔７内の直線状
端部５をそれぞれ弾性変位させて該各孔６，７の裏面側の開口縁６ａ，７ａに押し付けて
いるので、半田工程で絶縁基板１ａを引っ繰り返したときに電池用端子３を落下させるこ
とがなく〔図１（ｂ）参照〕、その電池用端子３の落下を防止するために従来必要とされ
ていた粘着テープＰ（図６参照）を省略することができ、大幅なコストダウンを図ること
ができる。
【００３５】
更に、図３（ａ）〜（ｃ）に示すように、弾性変位したＵ字枠４及び直線状端部５の元
に戻ろうとする付勢力ｆ４に抗して発生する押下力ｆ５で端子脚３Ｂを絶縁基板１ａの表
面に押し付けるので、その端子脚３Ｂが浮き上がった状態で半田付け９されることがなく
、しかも、前記付勢力ｆ４が長孔６の長手方向（Ｘ−Ｘ）とは直交する方向（Ｙ−Ｙ）に
沿って作用して、端子脚３Ｂが末端部３ｃの軸心Ｏ回りで動揺されることもないから、従
来のように端子脚３Ｂの浮き上がりや動揺に起因する半田付け９の剥離現象を解消して断
線事故を確実に防ぐことができる（図８参照）。
【００３６】
しかも、図３（ｂ）及び（ｃ）に示すように、Ｕ字枠４及び直線状端部５の絶縁基板１
ａの裏面側に突出する突出幅ｓが小さいので、嵩張らず、コンパクトな設計が可能であっ
て、ユーザの要望に応じて薄形小型のリモートコントローラを製作することができる。
【００３７】
また更に、図３（ａ）〜（ｃ）に示すように、端子脚３Ｂの中央部３ｂとＵ字枠４とで
絶縁基板１ａを上下から３点で挟持し、これに加えて直線状端部５を絶縁基板１ａに押し
つけて、端子脚３Ｂを４点支持しているので、その端子脚３Ｂを絶縁基板１ａ上の所定位
置に不測に動かないように確実に固定することができる。
【００３８】
図２に示すように、末端部３ｃの軸心Ｏを通る垂直軸ｃから自然状態のＵ字枠４及び直
線状端部５までの傾斜角度ａ，ｂを１５°〜４５°に設定することにより、そのＵ字枠４
と直線状端部５との間の自然状態での対向角度θが３０°〜９０°（好ましくは５５°〜
６５°）に設定されている。
【００３９】
ここで、対向角度θが３０°未満の場合には、Ｕ字枠４及び直線状端部５を各孔６，７
に嵌入させて弾性変位させたときの押下力ｆ５が小さくて端子脚３Ｂが浮き上がったり動
揺するおそれがあり、前記対向角度θが９０°を超える場合には、Ｕ字枠４及び直線状端
部５を弾性変位させて各孔６，７に嵌入させ難くなる。
【００４０】
そこで、前記対向角度θが３０°〜９０°（好ましくは５５°〜６５°）に設定されて
おり、これによって、Ｕ字枠４及び直線状端部５を各孔６，７内に容易に嵌入させること
ができると共に、そのＵ字枠４及び直線状端部５の弾性変位により所望通りの大きな押下
力ｆ５を発生させて端子脚３Ｂが不測に浮き上がったり動揺しないように絶縁基板１ａ上
に確実に固定することができる。
【産業上の利用可能性】
【００４１】
上記の実施の形態では、ＤＶＤレコーダやＤＶＤプレーヤのリモートコントローラを例
にあげて説明したが、これ限定されるわけではなく、例えばテレビジョン受像機などの各
種の電気機器を遠隔操作するためのリモートコントローラにも適用される。また、半田付
け９を手作業で行う場合を例にあげて説明したが、ディップ式の半田付け９にも適用され
る。
【図面の簡単な説明】
【００４２】
【図１】（ａ）は本発明の実施の一形態であるリモートコントローラの要部を示す平面図、（ｂ）はＡ−Ａ矢視図、（ｃ）はＢ−Ｂ矢視図である。
【図２】同要部の分解斜視図である。
【図３】（ａ）は同要部の拡大平面図、（ｂ）はＣ−Ｃ矢視図、（ｃ）はＤ−Ｄ矢視図である。
【図４】（ａ）及び（ｂ）は同組立手順を示す斜視図である。
【図５】リモートコントローラを示す斜視図である。
【図６】（ａ）は従来の一例を示す要部の拡大平面図、（ｂ）はＥ−Ｅ矢視図、（ｃ）はＦ−Ｆ矢視図である。
【図７】（ａ）は従来の他の例を示す要部の横断面図、（ｂ）は同要部の拡大平面図である。
【図８】（ａ）及び（ｂ）は同従来の他の例の難点を示す横断面図である。
【図９】従来の更に他の例を示す横断面図である。
【符号の説明】
【００４３】
１          リモコン本体
１ａ        絶縁基板
３          端子
３Ａ        端子本体
３Ｂ        端子脚
３ａ        端子脚の立上り部
３ｂ        端子脚の中央部
３ｃ        端子脚の末端部
４          Ｕ字枠
５          直線状端部
６          長孔
７          貫通孔
８          ランド
９          半田付け
Ｘ          水平縦方向
Ｙ          水平横方向
Ｚ          垂直方向
Ｏ          軸心
θ          対向角度
【図１】
2008066010.tif 000003
【図２】
2008066010.tif 000004
【図３】
2008066010.tif 000005
【図４】
2008066010.tif 000006
【図５】
2008066010.tif 000007
【図６】
2008066010.tif 000008
【図７】
2008066010.tif 000009
【図８】
2008066010.tif 000010
【図９】
2008066010.tif 000011